(57)【要約】【課題】太陽光の受光効率をアップさせることができるフレキシブル太陽電池搭載充電器を提供する。【解決手段】ケース本体１１の内部に積層状態に収納されたバッテリー２３および電子部品基板ユニット２５と、電子部品基板ユニット２５を介してバッテリー２３と電気的に接続されるＡＣ充電結合部３６と、電子部品基板ユニット２５を介してバッテリー２３と電気的に接続された状態に設けられ、携帯機器の充電端子と接続可能な充電コネクタ３０と、ケース本体１１の内部に巻取り収納され、充電時にケース本体１１から引き出して受光面を露出可能なフレキシブル太陽電池３０とを具備した。【選択図】図１
2010074993.tif 000002
【特許請求の範囲】
【請求項１】
充電器のケース本体と、
前記ケース本体の内部に収納されたバッテリーおよび電子部品基板ユニットと、
前記電子部品基板ユニットを介してバッテリーと電気的に接続されるＡＣ充電結合部と、
前記電子部品基板ユニットを介してバッテリーと電気的に接続された状態に設けられ、携帯機器の充電端子と接続可能な充電コネクタと、
前記ケース本体の内部に巻取り収納され、充電時に前記ケース本体から引き出して受光面を露出可能なフレキシブル太陽電池と、
を具備したことを特徴とするフレキシブル太陽電池搭載充電器。
【請求項２】
前記フレキシブル太陽電池は、前記ケース本体の内部に設けられた巻き軸にロール状に巻き取られ、前記巻き軸は前記フレキシブル太陽電池を巻取り収納方向に付勢されていることを特徴とする請求項１記載のフレキシブル太陽電池搭載充電器。
【請求項３】
前記ケース本体は、その上面全面に太陽電池パネルが設けられていることを特徴とする請求項１または２記載のフレキシブル太陽電池搭載充電器。
【発明の詳細な説明】
【技術分野】
【０００１】
本発明は、フレキシブル太陽電池を備え、太陽光エネルギーを電気エネルギーに変換して内蔵バッテリーに蓄電して携帯電話機等のバッテリーに充電できるフレキシブル太陽電池搭載充電器に関する。
【背景技術】
【０００２】
携帯機器としての例えば携帯電話機は、本体の内部にバッテリーを備えており、充電が必要になって時には専用のＡＣ充電器を使用してバッテリーに充電することが行なわれている。しかし、専用のＡＣ充電器は嵩張るため、旅行や出張等の外出時にＡＣ充電器を持ち運ぶことは煩雑である。
【０００３】
また、乾電池を内蔵した充電器も市販されているが、乾電池自体に重量があるため、持ち運びに困難であり、最近では、太陽電池パネルを搭載した携帯電話機用充電器が知られている（例えば、特許文献１参照。）。
【０００４】
特許文献１に示す携帯電話機用充電器は、直方体形状のボディの内部にバッテリーを備えるとともに、ボディの表面に太陽電池パネルを装着し、さらにボディの端部に充電コネクタを設けたものである。そして、太陽電池パネルが太陽光エネルギーを受けると、そのエネルギーが電気エネルギーに変換され、ボディの内部のバッテリーに蓄電されるようになっている。したがって、充電コネクタを携帯電話機の充電端子に接続することにより、携帯電話機のバッテリーに充電することができる。
【０００５】
また、上下水道処理施設の覆蓋や高速道路の防音壁の湾曲した表面にも設置できるフレキシブル太陽電池が開発された（例えば、特許文献２参照。）。
【特許文献１】特許第３５８０８０６号公報
【特許文献２】特開２００８−１０３６５２号公報
【発明の開示】
【発明が解決しようとする課題】
【０００６】
しかしながら、特許文献１に示す携帯電話機用充電器は、太陽電池パネルが露出しているために、落下等の衝撃を受けたとき破損しやすく、さらに太陽電池パネルの受光面に傷が付き易く太陽光の受光効率が悪くなり、電気エネルギーへの変換効率が低下するという問題がある。さらに、ボディは上下２分割され、固定ねじで結合された構造であるため、防水機能はなく、水の浸入によって故障しやすいという問題がある。
【０００７】
また、ボディのサイズが、幅５０ｍｍ×長さ１７０ｍｍ×厚さ２０ｍｍ前後であり、大型であるとともに、特に長さが長いために携帯に不便である。
【０００８】
本発明は、前記事情に着目してなされたもので、その目的とするところは、太陽光の受光効率をアップさせることができるフレキシブル太陽電池搭載充電器を提供することにある。
【課題を解決するための手段】
【０００９】
本発明は、前述した目的を達成するために、請求項１は、充電器のケース本体と、前記ケース本体の内部に収納されたバッテリーおよび電子部品基板ユニットと、前記電子部品基板ユニットを介してバッテリーと電気的に接続されるＡＣ充電結合部と、前記電子部品基板ユニットを介してバッテリーと電気的に接続された状態に設けられ、携帯機器の充電端子と接続可能な充電コネクタと、前記ケース本体の内部に巻取り収納され、充電時に前記ケース本体から引き出して受光面を露出可能なフレキシブル太陽電池とを具備したことを特徴とするフレキシブル太陽電池搭載充電器にある。
【００１０】
請求項２は、請求項１の前記フレキシブル太陽電池は、前記ケース本体の内部に設けられた巻き軸にロール状に巻き取られ、前記巻き軸は前記フレキシブル太陽電池を巻取り収納方向に付勢されていることを特徴とする。
【００１１】
請求項３は、請求項１または２の前記ケース本体は、その上面全面に太陽電池パネルが設けられていることを特徴とする。
【発明の効果】
【００１２】
本発明によれば、充電器のケース本体の内部に、フレキシブル太陽電池を巻取り収納し、充電時にケース本体から引き出して受光面を露出可能とすることにより、太陽光の受光効率を大幅にアップさせることができ、また、ケース本体にフレキシブル太陽電池を巻取り収納できるため、携帯時に嵩張ることはないという効果がある。
【発明を実施するための最良の形態】
【００１３】
以下、本発明の実施の形態を図面に基づいて説明する。
【００１４】
図１はフレキシブル太陽電池搭載充電器の分解斜視図、図２はフレキシブル太陽電池搭載充電器の縦断側面図、図３はフレキシブル太陽電池搭載充電器の斜視図の斜視図である。
【００１５】
図１〜図３に示すように、充電器のケース本体１１は合成樹脂材料によって成形された偏平矩形状の下部ケース１２と合成樹脂材料によって成形された偏平矩形状の上部ケース１３とから構成されている。下部ケース１２は底面部１４の外周部に嵌合周壁部１５が一体に設けられている。
【００１６】
上部ケース１３は上面部１７の外周部に嵌合周壁部１８が一体に設けられている。下部ケース１２の嵌合周壁部１５と上部ケース１３の嵌合周壁部１８には互いに対向するリブ１６，１９が一体に設けられている。リブ１６，１９は後述する電子部品基板ユニット２５を挟持した状態で、下部ケース１２に対して上部ケース１３が結合されるようになっている。
【００１７】
さらに、下部ケース１２の後部側における底面部１４の隅部には貫通孔１４ａが設けられ、上部ケース１３の上面部１７の隅部には貫通孔１４ａに対応してねじ孔を有するボス２１が設けられている。そして、下部ケース１２の貫通孔１４ａ側から固定ねじ２２を挿入し、上部ケース１３のねじ孔にねじ込むことにより、下部ケース１２と上部ケース１３とが固定されるようになっている。
【００１８】
下部ケース１２の内部には矩形状のバッテリー２３が収納され、このバッテリー２３の上面にはバッテリー２３の平面形状に略等しい矩形状の電子部品基板ユニット２５が積層されている。電子部品基板ユニット２５の上面、すなわちバッテリー２３と接する面と反対側には複数個の電子部品２６が搭載されている。電子部品基板ユニット２５の一側部における上面には充電状態を表示する表示素子としてのＬＥＤ２７が固定されている。このＬＥＤ２７は上部ケース１３を側部から確認できるようになっている。
【００１９】
また、上部ケース１３は上面部１７には受光面２０ａを上部に向けて太陽電池パネル２０が嵌合されている。この太陽電池パネル２０はリード線(図示しない)を介して電子部品基板ユニット２５およびバッテリー２３に電気的に接続され、受光面２０ａが太陽光エネルギーを受けると、そのエネルギーが電気エネルギーに変換され、バッテリー２３に蓄電されるようになっている。
【００２０】
下部ケース１２の前部側における端部には携帯電話機（図示しない）の充電端子と接続可能な充電コネクタ２８が突出して設けられている。充電コネクタ２８は電子部品基板ユニット２５と電気的に接続されている。
【００２１】
さらに、下部ケース１２と充電コネクタ２８とバッテリー２３との間にはフレキシブル太陽電池３０を収納するための凹陥部からなる収納部２９が設けられている。この収納部２９の内部にはケース本体１１の幅方向に巻き軸３１が回転自在に軸支されている。この巻き軸３１にはフレキシブル太陽電池３０がロール状に巻取り収納されている。
【００２２】
フレキシブル太陽電池３０は、シート状またはフイルム状のフレキシブルシート３０aの表面に太陽電池モジュール３０ｂを積層したものであり、ケース本体１１の幅より僅かに狭く、長さはケース本体１１の長さの数倍である。フレキシブル太陽電池３０の基端部は巻き軸３１に固定され、ケース本体１１の前部側における端部の充電コネクタ２８の上部に設けられたスリット状の開口部３２からケース本体１１の外部に引き出し可能であり、先端部には摘み部３３が設けられている。このフレキシブル太陽電池３０は、リード線(図示しない)を介して電子部品基板ユニット２５およびバッテリー２３に電気的に接続され、太陽光エネルギーを受けると、そのエネルギーが電気エネルギーに変換され、バッテリー２３に蓄電されるようになっている。
【００２３】
フレキシブル太陽電池３０は、巻き軸３１に巻き付けられるように巻き癖が付けられ、摘み部３３を手指で摘んで引き出すと、巻き軸３１が回転してケース本体１１から引き出されて受光面（太陽電池モジュール３０ｂ）が露出した状態に保持される。また、摘み部３３を手指で摘んでフレキシブル太陽電池３０をケース本体１１方向に押し戻すと、フレキシブル太陽電池３０は巻き癖が付けられているため、巻き軸３１に自動的に巻き取られる。したがって、フレキシブル太陽電池３０の全体をケース本体１１の内部に収納することができる。
【００２４】
なお、巻き軸３１にぜんまいばねを設け、フレキシブル太陽電池３０を巻取り方向に付勢することにより、巻く軸３１をぜんまいばねによって回転させてフレキシブル太陽電池３０を自動的に巻き取ることも可能であり、ラチェット機構によってフレキシブル太陽電池３０を所望位置まで引き出した状態でロックさせることも可能である。
【００２５】
また、下部ケース１２と上部ケース１３の後部側には電子部品基板ユニット２５と電気的に接続され、ＡＣ充電コネクタ(図示しない)と接続可能なＡＣ充電結合部３６が設けられている。ＡＣ充電結合部３６は開閉可能なＡＣキャップ３７によって保護されている。ＡＣ充電コネクタはコードを介してＡＣ充電結合部３６に接続されており、ＡＣ充電コネクタをＡＣ充電結合部３６に接続し、ＡＣ充電コネクタをＡＣコンセントに接続することにより、ＡＣ電源によってバッテリー２３に充電することもできる。
【００２６】
なお、ケース本体１１の端部における角部にはストラップ孔３９が設けられ、ボールチェーン式ストラップもしくはカニカンリング付きストラップを挿通して携帯電話機に吊り下げることができるようになっている。
【００２７】
このように構成されたフレキシブル太陽電池搭載充電器は、ケース本体１１の上面に固定的に設けられた太陽電池パネル２０の受光面２０ａが太陽光エネルギーを受けると、そのエネルギーが電気エネルギーに変換され、バッテリー２３に蓄電される。また、フレキシブル太陽電池３０の摘み部３３を手指で摘んで引き出すと、巻き軸３１が回転してケース本体１１から引き出されて受光面（太陽電池モジュール３０ｂ）が露出した状態に保持される。したがって、フレキシブル太陽電池３０の受光面が太陽光エネルギーを受けると、そのエネルギーが電気エネルギーに変換され、バッテリー２３に蓄電される。
【００２８】
フレキシブル太陽電池３０は、ケース本体１１の上面に固定的に設けられた太陽電池パネル２０の受光面２０ａより数倍の受光面積を有しているため、太陽光の受光効率を大幅にアップさせることができる。
【００２９】
図４は第２の実施形態を示し、第１の実施形態と同一構成部分には同一番号を付して説明を省略する。本実施形態は、ケース本体１１の内部に巻取り収納されたフレキシブル太陽電池３０は、ケース本体１１の前部側における端部の充電コネクタ２８の下部に設けられたスリット状の開口部３２からケース本体１１の外部に引き出し可能に構成したものであり、このフレキシブル太陽電池３０は、巻き取られるシート状またはフイルム状のフレキシブルシート３０aの裏面（巻き軸の内面側）に太陽電池モジュール３０ｂが積層されている。
【００３０】
また、本発明は、ケース本体１１の前部側からフレキシブル太陽電池３０を引き出すように構成したが、ケース本体１１の後部側から引き出すようにしてもよく、またケース本体１１の一側部側から引き出すように構成してもよい。さらに、フレキシブル太陽電池３０の巻取り方法の形態は一例を示すものであり、適宜変更可能である。
【００３１】
前記実施形態においては、携帯電話機について説明したが、パソコン等の携帯機器の充電にも利用できる。
【００３２】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００３３】
【図１】本発明の第１の実施形態を示すフレキシブル太陽電池搭載充電器の分解斜視図。
【図２】同実施形態を示し、フレキシブル太陽電池搭載充電器の縦断側面図。
【図３】同実施形態を示し、フレキシブル太陽電池搭載充電器の斜視図。
【図４】本発明の第２の実施形態を示すフレキシブル太陽電池搭載充電器の斜視図。
【符号の説明】
【００３４】
１１…ケース本体、１２…下部ケース、１３…上部ケース、２０…太陽電池パネル、２３…バッテリー、２５…電子部品基板ユニット、２８…充電コネクタ、３０…フレキシブル太陽電池、３１…巻き軸、３６…ＡＣ充電結合部
【図１】
2010074993.tif 000003
【図２】
2010074993.tif 000004
【図３】
2010074993.tif 000005
【図４】
2010074993.tif 000006